(57)【要約】【課題】様々なコンテンツを適切なタイミングで切り替え表示可能にする。【解決手段】情報処理装置１０は、表示部１２と、情報処理装置１０の動きを検出する動き検出部（加速度センサー１５、角速度センサー１６、判定部２２）と、動き検出部により情報処理装置１０の予め定められた動きが検出されると、表示部１２に表示されるコンテンツを切り替える制御部２１と、を備え、表示部１２に表示される各コンテンツにはそれぞれ、表示部１２への最短表示時間が設定され、制御部２１は、表示部１２に表示されるコンテンツの表示完了後、当該コンテンツに設定されている最短表示時間が経過するまでに、動き検出部により情報処理装置１０の上記予め定められた動きが検出された場合、最短表示時間が経過するまでは、コンテンツの表示を維持し、最短表示時間が経過してから、表示部１２に表示させているコンテンツを切り替える。【選択図】図２
2019164549.tif 000002
【特許請求の範囲】
【請求項１】
表示部と、
本情報処理装置の動きを検出する動き検出部と、
前記表示部に表示される各コンテンツにそれぞれ設定された、前記表示部への最短表示時間を記憶する記憶部と、
前記動き検出部により前記情報処理装置の予め定められた動きが検出されると、前記表示部に表示されるコンテンツを切り替える制御部と、を備え、
前記制御部は、前記表示部にコンテンツを表示させてから、当該コンテンツに設定されている前記最短表示時間が経過するまでに、前記動き検出部により前記予め定められた動きが検出された場合、前記最短表示時間が経過するまでは、前記コンテンツの表示を維持し、前記最短表示時間が経過したときに、前記表示部に表示させているコンテンツを切り替える情報処理装置。
【請求項２】
外部装置から送信されたコンテンツを受信する受信部を更に備え、
前記制御部は、前記受信したコンテンツに前記最短表示時間が設定されていない場合、前記受信したコンテンツに予め定められた長さの前記最短表示時間を設定し、当該設定した前記最短表示時間を、前記受信したコンテンツに紐付けて前記記憶部に記憶させる請求項１に記載の情報処理装置。
【請求項３】
前記表示部へのコンテンツの最長表示時間が設定されて前記記憶部に記憶され、
前記制御部は、前記表示部にコンテンツを表示させてから、前記最長表示時間が経過したときは、前記動き検出部により前記予め定められた動きが検出されなくても、前記表示部に表示させているコンテンツを切り替える請求項１又は請求項２に記載の情報処理装置。
【請求項４】
前記最長表示時間は、前記表示部に表示される各コンテンツそれぞれに設定されて前記記憶部に記憶され、
前記制御部は、前記表示部にコンテンツを表示させてから、当該コンテンツに設定されている前記最長表示時間が経過すると、前記動き検出部により前記予め定められた動きが検出されなくても、前記表示部に表示させているコンテンツを切り替える請求項３に記載の情報処理装置。
【請求項５】
前記情報処理装置は、携帯可能なカード型である請求項１乃至請求項４のいずれかに記載の情報処理装置。
【発明の詳細な説明】
【技術分野】
【０００１】
本発明は、表示部を備える携帯可能な情報処理装置に関し、特に、表示部に表示されるコンテンツを切り替える技術に関する。
【背景技術】
【０００２】
情報処理装置には、画像を表示部に表示する際に、当該装置の傾きを検出して、この検出した傾きに応じて表示部における画像の表示の向きを変更するものがある（特許文献１及び特許文献２を参照）。また、このような情報処理装置として、装置の傾きを検出して、この検出した傾きに応じて表示部における情報の画面レイアウトを変更するものもある（特許文献３を参照）。
【０００３】
更に、上記のように装置の傾きに応じて表示部における画像の表示の向きを変更しながらも、操作者によって当該装置が振られたときに当該振れの加速度が予め定められた値よりも大きい場合には、表示部における表示の向きの変更を禁止するものがある（特許文献４を参照）。
【先行技術文献】
【特許文献】
【０００４】
【特許文献１】特許第５４２３８９４号公報
【特許文献２】特開２０１２−０１４０２２号公報
【特許文献３】特開２０１２−２４７９５９号公報
【特許文献４】特開２０１０−１９３０６６号公報
【特許文献５】特開２００８−１１８５２７号公報
【発明の概要】
【発明が解決しようとする課題】
【０００５】
ここで、社員証などのＩＤカードに代えて、上記のような情報処理装置を用いることが考えられる。ただし、ＩＤカードは、対面する他人に、会社名、氏名、顔写真、所属部署などのユーザー情報（コンテンツ）を見せる必要があるため、情報処理装置をＩＤカードの代わりとして用いる場合は、上記ユーザー情報を表示部に表示させることが求められると共に、更に、他の様々なコンテンツ（例えば、予定表、クーポン）を表示部に切り替えて表示可能にすることも望まれる。
【０００６】
ここで、上記特許文献１乃至４には、装置の傾きに応じて、表示部における画像の表示を変更することが記載されている。しかしながら、装置の傾きなど、装置の動きに応じて、表示部における画像（コンテンツ）を切り替える情報処理装置においては、ユーザーが予期しない動きを装置がしたとき、表示部における画像が瞬時に切り替わるというユーザーが望まない動作が行われてしまい、ユーザーの利便性を損なう可能性がある。例えば、会社名、氏名、顔写真、所属部署など、名刺に記載されるようなユーザー情報については、対面する他人に見せることが想定されるが、例えば、当該装置を首からぶら下げている場合には、ユーザーが予期しない動きを装置がして、他人に見せようとしたときや、他人に見せている最中に、画像が切り替わってしまうことが考えられる。
【０００７】
このような問題を解決する方法として、表示部への画像の最短表示時間を設定するといった方法が考えられる。例えば、最短表示時間を５秒に設定して、５秒間は画像が切り替わらないようにすれば、少なくとも５秒間は上記のようなユーザー情報を他人に見せることができる。
【０００８】
しかしながら、すべてのコンテンツに対して、最短表示時間を一律に設定すると、利便性が低下する可能性がある。例えば、ユーザー自身の予定表は、他人に見せるものではなく、ユーザー自身が確認できれば十分であるため、あまり長い時間表示されるのをユーザーは好まないと考えられるが、最短表示時間が一律に５秒に設定されていると、５秒間は別の画像へ切り替えることができない。
【０００９】
上記の特許文献５には、撮像した各画像データ（コンテンツに相当）に、メタデータ（画像データの検索に利用するためのデータ）を対応付けて記憶することが記載されているが、コンテンツそれぞれに対応付けて、上記したような表示時間を記憶させることについての記載はない。
【００１０】
本発明は、上記の事情に鑑みなされたものであり、様々なコンテンツを適切なタイミングで切り替え表示可能な情報処理装置を提供することを目的とする。
【課題を解決するための手段】
【００１１】
本発明の一局面に係る情報処理装置は、表示部と、本情報処理装置の動きを検出する動き検出部と、前記表示部に表示される各コンテンツにそれぞれ設定された、前記表示部への最短表示時間を記憶する記憶部と、前記動き検出部により前記情報処理装置の予め定められた動きが検出されると、前記表示部に表示されるコンテンツを切り替える制御部と、を備え、前記制御部は、前記表示部にコンテンツを表示させてから、当該コンテンツに設定されている前記最短表示時間が経過するまでに、前記動き検出部により前記予め定められた動きが検出された場合、前記最短表示時間が経過するまでは、前記コンテンツの表示を維持し、前記最短表示時間が経過したときに、前記表示部に表示させているコンテンツを切り替える。
【発明の効果】
【００１２】
本発明によれば、表示部に表示されるコンテンツに、表示を維持する最短表示時間が設定されているので、表示部に表示されたコンテンツが瞬時に別のコンテンツに切り替わるといった事態が生じないようにすることができる。更には、最短表示時間は各コンテンツそれぞれに対して設定されているので、様々なコンテンツをそれぞれに適切なタイミングで切り替え表示することが可能となる。
【図面の簡単な説明】
【００１３】
【図１】本発明の一実施形態に係る情報処理装置の外観を示す平面図である。
【図２】本実施形態に係る情報処理装置の内部構成を示すブロック図である。
【図３】（Ａ）は情報処理装置の横方向の往復移動を示す斜視図であり、（Ｂ）は情報処理装置の縦方向の往復移動を示す斜視図である。
【図４】表示部に切り替え表示されるコンテンツを示す図である。
【図５】各コンテンツと最短表示時間を示すデータとの関係を説明するための説明図である。
【図６】各コンテンツと最短表示時間を示すデータとの関係を説明するための説明図である。
【図７】第１実施形態に係る情報処理装置の制御ユニットで行われる処理を示すフローチャートである。
【図８】表示部に表示されるコンテンツが切り替わる過程の一例を説明するための説明図である。
【図９】第２実施形態に係る情報処理装置の制御ユニットで行われる処理を示すフローチャートである。
【発明を実施するための形態】
【００１４】
以下、本発明の一実施形態に係る情報処理装置について図面を参照して説明する。図１は、本発明の第１実施形態に係る情報処理装置の外観を示す斜視図である。図２は、第１実施形態に係る情報処理装置の内部構成を示すブロック図である。
【００１５】
第１実施形態に係る情報処理装置１０は、携帯可能なカード型で、例えば社員証などのＩＤカードの代わりに用いられる。情報処理装置１０は、制御ユニット１１と、表示部１２と、記憶部１３と、通信部１４と、加速度センサー１５と、角速度センサー１６とを備えている。これらの構成要素は、互いにバスを通じてデータ又は信号の送受信が可能とされている。
【００１６】
表示部１２は、液晶ディスプレイ（ＬＣＤ：Liquid Crystal Display）や有機ＥＬ（ＯＬＥＤ：Organic Light-Emitting Diode）、電子ペーパーなどから構成される。
【００１７】
記憶部１３は、大容量の書き換え可能な不揮発性メモリー（ＥＥＰＲＯＭなど）等であって、表示部１２に表示される複数のコンテンツを記憶している。
【００１８】
通信部１４は、通信インターフェイスであって、外部の発信機（ビーコン）やサーバーなどとの間でデータ通信を行う。
【００１９】
加速度センサー１５は、既知の３軸の加速度センサーであり、情報処理装置１０（特に表示部１２）のＸ軸、Ｙ軸、Ｚ軸の３方向の加速度を検出して、３方向の加速度を示すそれぞれの検出信号ＸＳ，ＹＳ，ＺＳを出力する。加速度センサー１５が情報処理装置１０に内蔵されているので、この加速度センサー１５により情報処理装置１０に作用した３方向の加速度が検出されることとなる。
【００２０】
角速度センサー１６は、既知の角速度センサーであり、情報処理装置１０（特に表示部１２）の基準軸周りの回転角度を検出する。角速度センサー１６が情報処理装置１０に内蔵されているので、この角速度センサー１６により基準軸周りの情報処理装置１０の回転角度が検出されることとなる。また、ここでは、２つの角速度センサー１６が設けられている。一方の角速度センサー１６は、情報処理装置１０の横方向Ｈの回転を検出し、その回転角度を示す検出信号ＨＳを出力する。他方の角速度センサー１６は、情報処理装置１０の縦方向Ｖの回転を検出し、その回転角度を示す検出信号ＶＳを出力する。
【００２１】
制御ユニット１１は、プロセッサー、ＲＡＭ（Random Access Memory）、及びＲＯＭ（Read Only Memory）などから構成される。プロセッサーは、ＣＰＵ（Central Processing Unit）、ＭＰＵ（Micro Processing Unit）、又はＡＳＩＣ（Application Specific Integrated Circuit）等である。制御ユニット１１は、上記のＲＯＭ又は記憶部１３に記憶された制御プログラムが上記プロセッサーで実行されることにより、制御部２１、判定部２２、及び通信制御部２３として機能する。なお、制御ユニット１１の上記の各構成要素は、前述の制御プログラムに基づく動作によらず、それぞれハード回路により構成されてもよい。
【００２２】
制御部２１は、全体的な動作制御を行うが、主に表示部１２の表示制御を行う。通信制御部２３は、通信部１４の通信動作を制御する。
【００２３】
判定部２２は、加速度センサー１５から各検出信号ＸＳ，ＹＳ，ＺＳ、及び２つの角速度センサー１６から検出信号ＨＳ，ＶＳを受け取って、これらの検出信号に基づき、情報処理装置１０の向き及び変位を演算して、情報処理装置１０の動きを検出する。なお、本実施形態では、図１に示すように表示部１２及び情報処理装置１０は一体化されているため、ここでいう情報処理装置１０の向き及び変位は、表示部１２の向き及び変位でもある。また、加速度センサー１５、２つの角速度センサー１６、及び判定部２２は、特許請求の範囲における動き検出部に相当する。
【００２４】
判定部２２は、例えば、加速度センサー１５により検出される検出信号ＹＳ、すなわち情報処理装置１０の横方向Ｈの揺れ（揺動）に基づき、情報処理装置１０の図３（Ａ）に示す横方向Ｈの往復移動ＨＭを判定し、加速度センサー１５により検出される検出信号ＺＳ、すなわち情報処理装置１０の縦方向Ｖの揺れ（揺動）に基づき、情報処理装置１０の図３（Ｂ）に示す縦方向Ｖの往復移動ＶＭを判定する。なお、横方向Ｈの往復移動ＨＭは、特許請求の範囲における予め定められた動きの一例である。
【００２５】
このような構成の情報処理装置１０では、複数のコンテンツが記憶部１３に予め記憶されており、ユーザーが情報処理装置１０を起動させると、制御部２１は、予め初期画面として登録されているコンテンツ（例えば、図４（Ａ）に示すような、会社名や会社のロゴが中央部に大きく表示されたコンテンツＣ_1を表示部１２に表示させる。
【００２６】
表示部１２にコンテンツが表示されている状態で、判定部２２により情報処理装置１０の横方向Ｈの往復移動ＨＭが検出されると、制御部２１は、予め定められた順序（例えば、記憶部１３に記憶された順序）に従って、現在表示中のコンテンツの次ページのコンテンツを記憶部１３から読み出し、表示部１２に表示されるコンテンツを、読み出したコンテンツに切り替える。すなわち、情報処理装置１０の横方向Ｈの往復移動ＨＭは、次ページへの切り替えイベントとなる。
【００２７】
図４（Ａ）乃至（Ｆ）は、制御部２１が、表示部１２に切り替えて表示するそれぞれのコンテンツＣ_1乃至Ｃ_Nを示している。図４（Ａ）のコンテンツＣ_1は、初期画面を示し、図４（Ｂ）のコンテンツＣ_2は、社員証を示し、図４（Ｃ）のコンテンツＣ_3は、予定表を示し、図４（Ｄ）のコンテンツＣ_4は、クーポンを示し、図４（Ｅ）のコンテンツＣ_N-1は、第１グラフを示し、図４（Ｆ）のコンテンツＣ_Nは、第２グラフを示している。なお、第１グラフや第２グラフとしては、ユーザーの毎日の歩数など、健康に関するデータのグラフが挙げられる。
【００２８】
また、表示部１２に表示される各コンテンツＣ_1乃至Ｃ_Nにはそれぞれ、表示部１２への最短表示時間が設定され、各コンテンツＣ_1乃至Ｃ_Nは対応する最短表示時間を示すデータと紐付けて記憶部１３に記憶されている。
【００２９】
図５は、各コンテンツと最短表示時間を示すデータとの関係を説明するための説明図である。コンテンツＣ_1乃至Ｃ_Nにはそれぞれ、最短表示時間ＴＳとして、１秒、５秒、１秒、３秒、１秒、１秒が設定されている。
【００３０】
なお、最短表示時間ＴＳについては、各コンテンツＣ_1乃至Ｃ_Nそれぞれに対して、個別に設定せず、図６（Ａ）に示すように、各コンテンツＣ_1乃至Ｃ_Nをグループ分けし、各グループそれぞれに、最短表示時間ＴＳを設定するようにしてもよい。図６（Ｂ）に示すように、グループＧ１乃至Ｇ３それぞれに、最短表示時間ＴＳとして１秒、３秒、５秒が設定されている場合、グループＧ１に属するコンテンツＣ_1の最短表示時間ＴＳは１秒になる。この場合、各グループに対応する最短表示時間ＴＳは、記憶部１３に記憶されている。
【００３１】
次に、第１実施形態に係る情報処理装置１０の動きに応じて表示部１２に表示されるコンテンツを切り替えるための処理を、図７に示すフローチャートを参照して説明する。
【００３２】
制御部２１は、情報処理装置１０を起動させると、初期画面として登録されている図４（Ａ）に示すコンテンツＣ_1及び当該コンテンツＣ_1に紐付けされている最短表示時間ＴＳを記憶部１３から読み出し（Ｓ１）、読み出したコンテンツＣ_1を表示部１２に表示させる処理を行い（Ｓ２）、更に、コンテンツの表示を継続させておくべきか否かを判断するための閾値ＴＨを読み出した最短表示時間ＴＳに更新して記憶しておく（Ｓ３）。すなわち、ここでは、各コンテンツに応じて、対応するそれぞれの最短表示時間ＴＳが閾値ＴＨとして記憶される。
【００３３】
そして、制御部２１は、表示部１２にコンテンツを表示させる処理が完了したか否かを判断し（Ｓ４）、表示部１２にコンテンツを表示させる処理が完了したと判断すると（Ｓ４でＹＥＳ）、制御ユニット１１に内蔵されているタイマーを起動させて、時間Ｔの計測を開始する（Ｓ５）。
【００３４】
続いて、制御部１００は、判定部２２により情報処理装置１０の横方向Ｈの往復移動ＨＭが検出されたか否か（すなわち、次ページへの切り替えイベントが発生したか否か）を判断する（Ｓ６）。
【００３５】
制御部２１は、判定部２２により情報処理装置１０の横方向Ｈの往復移動ＨＭが検出されたと判断した場合（Ｓ６でＹＥＳ）、時間Ｔ（コンテンツの表示処理完了からの時間）が閾値ＴＨ（ここでは最短表示時間ＴＳ）以上であるか否かを判断する（Ｓ７）。一方、制御部２１は、判定部２２により情報処理装置１０の横方向Ｈの往復移動ＨＭが検出されていないと判断した場合（Ｓ６でＮＯ）、処理はＳ６に戻る。
【００３６】
制御部２１は、時間Ｔが閾値ＴＨ以上であると判断した場合（Ｓ７でＹＥＳ）、すなわち、表示部１２にコンテンツを表示させる処理の完了後、当該コンテンツに設定されている最短表示時間ＴＳが経過している場合、制御部２１は、上記予め定められた順序に従って、現在表示中のコンテンツの次ページのコンテンツ及び当該コンテンツに紐付けされている最短表示時間ＴＳを記憶部１３から読み出し（Ｓ８）、読み出したコンテンツを表示部に表示させる処理を行い（Ｓ９）、閾値ＴＨを当該読み出した新たな最短表示時間ＴＳに更新する（Ｓ１０）。
【００３７】
Ｓ３においては、各コンテンツに応じて、対応するそれぞれの最短表示時間ＴＳが閾値ＴＨとして記憶されているため、表示されているコンテンツ毎に異なる最短表示時間ＴＳで、次のコンテンツへの表示切り替えが行われる。
【００３８】
続いて、制御部２１は、表示部１２に上記読み出したコンテンツを表示させる処理が完了したか否かを判断し（Ｓ１１）、表示部１２に上記読み出したコンテンツを表示させる処理が完了したとすると（Ｓ１１でＹＥＳ）、時間Ｔを０にリセットする（Ｓ１２）。この後、処理はＳ６に移る。
【００３９】
一方、Ｓ７において、制御部２１は、時間Ｔが閾値ＴＨ以上でないと判断した場合（Ｓ７でＮＯ）、すなわち、表示部１２にコンテンツを表示させる処理の完了後、当該コンテンツに設定されている最短表示時間ＴＳが経過していない場合、処理はＳ７に戻る。従って、表示部１２にコンテンツを表示させる処理の完了後、当該コンテンツに設定されている最短表示時間ＴＳが経過するまでは、表示部１２によるコンテンツの表示が維持される。
【００４０】
図８は、表示部１２に表示されるコンテンツが切り替わる過程の一例を説明するための説明図である。例えば、表示部１２にコンテンツＣ_2を表示させる処理が完了してから、最短表示時間ＴＳ（閾値ＴＨ）を経過するまでに、例えば、図中の時間Ｔ１のタイミングで、情報処理装置１０の横方向Ｈの往復移動ＨＭが検出された場合（次ページであるコンテンツＣ_3への切り替えイベントが発生した場合）、最短表示時間ＴＳが経過するまでは、コンテンツＣ_2の表示が維持され、最短表示時間ＴＳが経過してから、コンテンツＣ_3へ表示を切り替える処理が開始される。
【００４１】
一方、最短表示時間ＴＳ（閾値ＴＨ）が経過してから、例えば、図中の時間Ｔ２のタイミングで、情報処理装置１０の横方向Ｈの往復移動ＨＭが検出された場合（次ページであるコンテンツＣ_3への切り替えイベントが発生した場合）、すぐにコンテンツＣ_3への表示の切り替え処理が開始される。
【００４２】
上記第１実施形態によれば、情報処理装置１０の動きに応じて、コンテンツＣ_1乃至Ｃ_N（社員証、予定表、クーポン、第１グラフ、及び第２グラフ）等が切り替え表示される。このため、情報処理装置１０をＩＤカードとして使用して社員証を表示すると共に、更に、様々なコンテンツを容易に切り替えて表示することができる。
【００４３】
また、表示部１２に表示されるコンテンツに、最短表示時間が設定されているので、表示部１２に表示されたコンテンツが瞬時に別のコンテンツに切り替わるといった事態が生じないようにすることができる。更には、最短表示時間は各コンテンツそれぞれに対して設定されているので、様々なコンテンツを適切なタイミングで切り替え表示することが可能となる。
【００４４】
また表示されているコンテンツ毎に異なる最短表示時間ＴＳで、次のコンテンツへの表示切り替えが行われるため、例えば、ユーザー自身の予定表など、個人的な情報については、早く切り替えたいという要求が高いと考えられるので、最短表示時間を比較的短く設定しておき、一方、個人的な情報ではなく、他人に見せることが想定される共有情報については、遅く切り替えたいという要求が高いと考えられるので、最短表示時間は比較的長く設定しておくことにより、表示対象となるコンテンツに応じた表示時間を維持して、次のコンテンツへの切り替えを行うことが可能である。
【００４５】
なお、上記実施形態では、記憶部１３に予め記憶されている複数のコンテンツを切り替え表示しているが、外部の発信機（ビーコンなど）から送信されたコンテンツを情報処理装置１０の通信部１４で受信して、制御部２１が、受信した各コンテンツを記憶部１３に記憶させ、情報処理装置１０の動きに応じて、コンテンツを記憶部１３から読み出して、表示部１２に表示させるようにしてもよい。
【００４６】
例えば、食堂や会議室などに設置された発信機から食堂や会議室の情報（コンテンツ）が情報処理装置１０に送信されると、情報処理装置１０では、このコンテンツを通信部１４で受信する。制御部２１は、このコンテンツを記憶部１３に記憶させる。
【００４７】
あるいは、制御部２１は、コンテンツを、通信制御部２３及び通信部１４を通じて外部のサーバーから受信して、このコンテンツを記憶部１３に記憶させ、情報処理装置１０の動きに応じて、コンテンツを記憶部１３から読み出して、表示部１２に表示させるものとしてもよい。
【００４８】
また、制御部２１は、外部装置（ビーコンやサーバーなど）から受信したコンテンツに最短表示時間が設定されていない場合、受信したコンテンツに予め定められた長さの最短表示時間（例えば、標準的な長さの３秒）を設定し、当該設定した最短表示時間に紐付けて、受信したコンテンツを記憶部１３に記憶させるようにしてもよい。
【００４９】
次に、第２実施形態に係る情報処理装置１０の動きに応じて表示部１２に表示されるコンテンツを切り替えるための処理を、図９に示すフローチャートを参照して説明する。図９に示したフローチャートはＳ６でＮＯと判断した後に行う処理Ｓ１３を除いて、図７に示したフローチャートと同じであるため、ここでは制御部２１がＳ６でＮＯと判断した場合から説明する。
【００５０】
制御部２１は、判定部２２により情報処理装置１０の横方向Ｈの往復移動ＨＭが検出されていないと判断した場合（Ｓ６でＮＯ）、時間Ｔ（コンテンツの表示完了からの時間）が最長表示時間ＴＬ以上であるか否かを判断する（Ｓ１３）。最長表示時間ＴＬは、最短表示時間ＴＳよりも長い時間に設定されて記憶部１３に記憶されている。最長表示時間ＴＬは、例えば、２０秒に設定される。
【００５１】
制御部２１は、時間Ｔが最長表示時間ＴＬ以上であると判断した場合（Ｓ１３でＹＥＳ）、すなわち、表示部１２に表示されるコンテンツの表示完了後、最長表示時間ＴＬが経過している場合、処理はＳ１に移り、制御部２１は、初期画面として登録されているコンテンツＣ_1を表示部１２に表示させる。
【００５２】
一方、制御部２１は、時間Ｔが最長表示時間ＴＬ以上でないと判断した場合（Ｓ１３でＮＯ）、処理はＳ６に戻る。
【００５３】
上記第２実施形態によれば、表示部１２へのコンテンツの最長表示時間が設定されているので、コンテンツが表示部１２にそのまま長時間表示され続けるのを回避することができ、初期画面に戻すことができる。
【００５４】
なお、最長表示時間についても、上記第１実施形態で説明した最短表示時間と同様に、表示部１２に表示される各コンテンツそれぞれに設定するようにしてもよい。
【００５５】
また、図１乃至図９を用いて説明した上記実施形態の構成は、本発明の一例に過ぎず、本発明を当該構成に限定する趣旨ではない。
【符号の説明】
【００５６】
１０    情報処理装置
１１    制御ユニット
１２    表示部
１５    加速度センサー
１６    角速度センサー
２１    制御部
２２    判定部
【図１】
2019164549.tif 000003
【図２】
2019164549.tif 000004
【図３】
2019164549.tif 000005
【図４】
2019164549.tif 000006
【図５】
2019164549.tif 000007
【図６】
2019164549.tif 000008
【図７】
2019164549.tif 000009
【図８】
2019164549.tif 000010
【図９】
2019164549.tif 000011